(57)【要約】ヒンジ(１)は、本体又はドアに固定可能な取付けプレート(２)と取付けプレート(２)上に保持されてヒンジ部が回転可能に取り付けられる側部(３)を有する。側部(３)は深さ調整ユニット(４０)を介して取付けプレート(２)上にて長手方向に変位可能であり、側部(３)は垂直調整ユニット(５０)によって取付けプレート(２)に対して回転可能である。側部(３)はキャッチ要素(６)を介して取付けプレート(２)上に固定され、ボルト(４)にて留められ、ボルトは取付けプレート又は側部に変位可能に取り付けられる。その結果、ヒンジ(１)は、少ない個々の部品で効率的に取り付けられる。【選択図】図２Ｂ
2020522630.tif 000002
【特許請求の範囲】
【請求項１】
本体又はドアに固定可能な取付けプレート(２)と取付けプレート(２)上に保持されてヒンジ部が回転可能に取り付けられる側部(３)を有するヒンジ、特に多関節ヒンジであって、
前記側部(３)は深さ調整ユニット(４０)を介して取付けプレート(２)上にて長手方向に変位可能であり、
側部(３)は垂直調整ユニット(５０)によって取付けプレート(２)に対して回転可能であるヒンジにおいて、
側部(３)はキャッチ要素(６)を介して取付けプレート(２)上に固定され、ボルト(４)にて留められ、ボルトは取付けプレート又は側部に変位可能に取り付けられる、ヒンジ。
【請求項２】
キャッチ要素(６)及びボルト(４)は、取付けプレート又は側部に対してユニットを形成し、該ユニットは取付けプレート又は側部(３)に変位可能に保持される、請求項１に記載のヒンジ。
【請求項３】
キャッチ要素(６)は、部分的にボルト(４)を囲む少なくとも１つのフック要素(７)を備える、請求項１又は２に記載のヒンジ。
【請求項４】
ボルト(４)が貫通する凹部(２２)が取付けプレート(２)に配備されている、請求項１又は２に記載のヒンジ。
【請求項５】
前記側部(３)は、垂直調整用にボルト(４)の周りを回転可能に取り付けられる、請求項１乃至４の何れかに記載のヒンジ。
【請求項６】
キャッチ要素(６)は側部(３)上に固定される、請求項１乃至５の何れかに記載のヒンジ。
【請求項７】
側部(３)の開口部(１０)に挿入されて、側部(３)にキャッチ要素(６)を固定するウェブ(９)がキャッチ要素(６)上に形成されている、請求項６に記載の多関節ヒンジ。
【請求項８】
キャッチ要素(６)はＵ字形の成形部品として形成され、２つの脚部上にフック要素(７)を備え、各フック要素はボルト(４)の後ろに係合し、取付けプレート(２)からの浮き上がりから側部(３)を固定する、請求項１乃至７の何れかに記載のヒンジ。
【請求項９】
深さ調整ユニット(４０)は、１以上の突起(２４)が係合する回転可能なウォームを備える、請求項１乃至８の何れかに記載のヒンジ。
【請求項１０】
ウォームは側部(３)の開口部(３２)に、固定されるように押し込まれる、請求項８に記載のヒンジ。
【請求項１１】
前記垂直調整ユニット(５０)は、ネジ付きのボルトを備え、該ボルトは側部(３)の開口部上で回転可能であるが、軸方向に変位できないように保持される、請求項１乃至１０の何れかに記載のヒンジ。
【請求項１２】
前記垂直調整ユニット(５０)は、ネジ付きのボルトを備え、該ボルトは取付けプレート(２)のＵ字形の受け部(２５)上のネジ付きの箇所に保持される、請求項１乃至１１の何れかに記載のヒンジ。
【請求項１３】
変位可能なボルト(４)は、凹部(２２)内に固定されるように案内される、請求項１乃至１２の何れかに記載のヒンジ。
【請求項１４】
変位可能なボルト(４)は、固定されるように取り付けられる部分である端部(５)を備える、請求項１乃至１３の何れかに記載のヒンジ。
【発明の詳細な説明】
【技術分野】
【０００１】
本発明は、本体又はドアに固定可能な取付けプレートと取付けプレート上に保持されてヒンジ部が回転可能に取り付けられる側部を有するヒンジ、特に多関節ヒンジに関し、側部は深さ調整ユニットを介して取付けプレート上にて長手方向に変位可能であり、側部は垂直調整ユニットによって取付けプレートに対して回転可能であるヒンジに関する。
【背景技術】
【０００２】
ヨーロッパ特許2176486B1は、本体に固定可能な取付けプレートを備え、該取付けプレート上に側部がアダプタを介して調整可能に保持されているヒンジを開示しており、この目的から２つの調整機構が配備されている。ヒンジ部は側部に回転可能に取り付けられ、ヒンジ部に保持されたドアの位置合わせが調整される。そのような調整機構は有効であることが証明されているが(proved itself)、様々な要素が必要である。
【０００３】
国際公開WO2009/083152号は、互いに変位可能な２つの嵌合部分を有する家具用ヒンジを開示している。更に、一方では、スライド運動を確実にする偏心器が配備され、偏心器は更に弾性的に変形可能なクランプ要素の使用により、嵌合部分の特定の回転運動も可能になる。しかし、弾性的に変形可能なクランプ要素により、調整行程が制限され、更に損傷により、高い接触圧力が生じ得る。
【０００４】
従って、本発明の目的は、簡単な手段を用いて取付けプレートに対する側部の調整を可能にし、更に家具本体上に素早く取り付けられるヒンジを提供することである。
この目的は、請求項１の特徴を有するヒンジによって達成される。
【発明の概要】
【０００５】
本発明に従ったヒンジにおいて、取付けプレートと、深さ調整ユニット及び垂直調整ユニットを介して調整可能な側部が配備され、側部はキャッチ要素を介して取付けプレート上に固定され、ボルトにて留められ、ボルトは特に取付けプレート又は側部に変位可能に取り付けられる。側部はこのようにして追加のアダプタを用意することなく、取付けプレートに変位可能に更に回転可能に保持され、取付け動作と対応する調整動作は、少数の要素を使用して実行することができる。側部はまた、キャッチ要素によって特に容易に取り付けられ、特に取付けプレートからの浮き上がりに対して固定される。
【０００６】
ヒンジは、多関節ヒンジとして構成されて、側部は、少なくとも４つのジョイントを介して、ヒンジカップなどのさらなるヒンジ部に移動可能に接続されるのが好ましい。
キャッチ要素、ボルト、及び側部は、取付けプレート上に変位可能に保持されるユニットを形成するのが好ましい。
【０００７】
キャッチ要素は、少なくとも１つのフック要素を備えるのが好ましく、フック要素は例えばボルトを少なくとも１００°から１３０°部分的に囲むのが好ましい。ボルトはこの場合、取付けプレートまたは側部の凹部、特に長穴に配置され、その結果、ボルトは側部と一緒に変位可能である。側部は、垂直調整のためにボルトに回転可能に取り付けられるのが好ましく、ボルトは深さ調整と垂直調整の両方に使用される。
【０００８】
効率的な取付けのために、キャッチ要素は、側部又は取付けプレートに固定され、特に、移動可能及び/又は片側にバネ荷重が掛けられるように固定され、この目的のために、キャッチ要素上にウェブが形成されて、ウェブが側部の開口部に挿入されて、側部にキャッチ要素を固定する。キャッチ要素は同様の方法で取付けプレート上に配備され、ボルトは側部に配備される。他の締結機構が用いられて、付随的にキャッチ要素は側部又は取付けプレートと一体的に形成され得る。
【０００９】
更なる実施形態において、キャッチ要素はＵ字形の成形部品として形成され、２つの脚部上にフック要素を有し、各フック要素はボルトの後ろに係合し、取付けプレートからの浮き上がりから側部を固定する。
キャッチ要素の脚部は、取付けプレートの凹部内、特に長孔のような凹部内にロック状態で配置されるのが好ましい。これにより、ヒンジができる限りコンパクトで小さく構成されるとの利点がある。
【００１０】
１以上の突起が係合する回転可能なウォームが深さ調整ユニットに配備される。この場合、ウォームは螺旋状に形成された溝として理解される。この場合、ウォームは側部の開口部に、特に押し込まれて固定されて、突起は取付けプレートに一体的に形成されるのが好ましい。偏心器のような他の深さ調整機構も用いられ得る。
【００１１】
垂直調整ユニットは、ネジ付きのボルトを備え、該ボルトは例えば側部の開口部内に押し込まれて、側部の開口内に回転可能であるが、軸方向に変位できないように保持されるのが好ましい。垂直調整ユニットはこの場合、取付けプレートのＵ字形の受け部上のネジ付きの箇所に係合される。
垂直調整は、取付けプレートに対する側部の支持調整として理解され、それによって側部と取付けプレートの間の距離は深さ調整方向に垂直に変化し得る。
【図面の簡単な説明】
【００１２】
本発明は添付の図面を参照して代表的な実施形態を基にして以下に詳細に説明される。
【図１Ａ】本発明に従ったヒンジを部分的に破断して示す図である。
【図１Ｂ】本発明に従ったヒンジを部分的に破断して示す図である。
【図１Ｃ】本発明に従ったヒンジを部分的に破断して示す図である。
【図２Ａ】本発明に従ったヒンジを分解して示す図である。
【図２Ｂ】本発明に従ったヒンジを分解して示す図である。
【図２Ｃ】本発明に従ったヒンジを分解して示す図である。
【図３Ａ】取付け中のヒンジを示す図である。
【図３Ｂ】取付け中のヒンジを示す図である。
【図４Ａ】垂直調整中のヒンジを示す図である。
【図４Ｂ】垂直調整中のヒンジを示す図である。
【図５Ａ】深さ調整中のヒンジを破断して示す図である。
【図５Ｂ】深さ調整中のヒンジを破断して示す図である。
【図６Ａ】深さ調整中のヒンジを示す図である。
【図６Ｂ】深さ調整中のヒンジを示す図である。
【図７Ａ】ヒンジを破断して示す図である。
【図７Ｂ】ヒンジを破断して示す図である。
【発明を実施するための形態】
【００１３】
ヒンジ１は、例えば曲げ金属プレートから生成される取付けプレート２と側部３を備える。ヒンジ部(図示せず)が側部３に回転可能に取り付けられ、側部上に例えばドア又はフリップが固定される。取付けプレート２は、家具本体の側壁又は家庭用器具に固定され得る。ドア又はフラップを閉位置に位置合わせすべく、側部３は、深さ調整ユニット４０を介して取付けプレート２に変位可能に取り付けられ、垂直調整ユニット５０を介して取付けプレート２に回転可能に取り付けられている。この目的のために、取付けプレート２を貫通し、側部３の取付けに使用されるボルト４が提供される。
【００１４】
ヒンジ１は、図２Ａ乃至図２Ｃにて、種々の分解図で示される。
取付けプレート２は長方形の本体を備え、該本体はＵ字形の断面であり側方に２つのアーム２０が配備され、該アームは締結手段用の開口部２１を備える。或いは、取付けプレート２は、長方形の本体としてのみ具体化することができ、締結手段は、長方形の本体に配置され、２つのアーム２０を省略することができる。各場合にて、ボルト４が貫通する凹部２２が長方形の本体の両側に形成されている。ボルト４は、この場合、両側に厚い端部５を備え、その長手軸の方向にボルトを拘束的に固定する。取付けプレート２は更に、垂直調整ユニット５０のネジ付きボルトが貫通する長く伸びたＵ字形の受け部２５を備えている。垂直調整ユニット５０のネジ付き箇所はこの場合、Ｕ字形の受け部２５の側縁に係合し、取付けプレート２に対する側部３の調整は、ネジ付き箇所を回転させることにより行われる。この場合、垂直調整ユニット５０のネジ付きボルトは側部３のオフセットピン５１を介して回転可能に取り付けられる。或いは、ネジは側部３に配備されて、例えばオフセットピン５１は取付けプレートのＵ字形の受け部２５に挿入され得る。
【００１５】
外部ネジを有するボルトとして形成された垂直調整ユニット５０は、例えば側部３の開口部内に垂直調整ユニット５０を押し込むことによって、回転可能であるが軸方向に変位しないように配置される。
更に、取付けプレート２上に側部３を固定すべくキャッチ要素６が配備され、キャッチ要素６は、Ｕ字形の成形体として形成され、ボルト４が挿入可能な受け部８を有する２つの対向する脚部にフック要素７を備える。更に、側方に突出したウェブ９がキャッチ要素６上に形成され、ウェブは側部３の２つの脚部３１のスロット状の開口部又は取付けプレート２の２つの脚部に挿入される。
【００１６】
側部３は長方形の要素として形成され、断面がＵ字形であり、深さ調節ユニットを挿入するための開口部３２が形成された横方向ウェブ３０を備える。２つの傾いた脚部３１は、横方向ウェブ３０上に突出し、これは、取付けプレート２及びその長穴２２を少なくとも部分的に囲む。
【００１７】
取付けプレート２に対して側部３を変位可能にすべく、深さ調整ユニット４０が設けられており、これは、ウォームとして形成されており、取付けプレート２に面する側にウェブ状のウォーム４１を備えている。深さ調整ユニット４０の反対側には、外部からアクセス可能な工具ヘッド４２が配備されている。深さ調整ユニット４０は、開口部３２内に押し込まれて、開口部３２内に収容され、回転可能であるが軸方向に変位できない。取付けプレート２に面するウォーム４１は、取付けプレート２の上側に形成された１つ以上の突起２４と係合する。
【００１８】
図３Ａ及び図３Ｂに従って取り付けるべく、先ず垂直調整ユニット５０のボルトが取付けプレート２の受け部２５内に位置して、更にキャッチ要素６が側部３と取付けプレート２との間に留められる。バネ荷重が掛けられるのが好ましいキャッチ要素は、フック要素７上の対応する取込斜面によって、ボルト４によって側部に対して変位またはシフトされる。ボルトが取込斜面を離れるとすぐに、ボルトはフック要素７の受け部８にロックする。次いで、ボルト４の長穴２２の変位運動及び/又はサイズは、凹部２２のタブ２３上で曲げることにより範囲を定めることができ、側部３及び/又はボルト４の取付け状態が取付けプレートに係留保持された後、ボルト４のスライド範囲が減少する。或いは、ボルト４は１つの端部だけを備え、ボルト４は凹部２２内に挿入される。取付け手順の後、第２の端部は、たとえばクリンチによって作成される。ボルト４を係留式に固定する代替の解決策も可能であり、タブ２３を省略することができる。
【００１９】
図４Ａ及び図４Ｂにて、ヒンジは取付け位置にて示され、図４Ａの位置では側部３は取付けプレート２上で比較的平坦に配置され、図４Ｂでは調整動作は、垂直調整ユニット５０を介して実行され、その調整の間、側部３はボルト４の周りを回転する。従って、側部３の距離は、取付けプレート２の底部に対して一方の側で垂直に大きくなる。
【００２０】
図５Ａ及び図５Ｂは、２つの断面図を示し、該図面から深さ調整ユニット４０の機能が判る。深さ調整ユニット４０は、突起２４と係合する下向きに突出したウォーム４１を備える。従って、深さ調整ユニット４０のウォームを回転させることにより、キャッチ要素６、ボルト４、及び側部３からなるユニットを、取付けプレート２に対して変位させることができる。ボルト４は、図５Ａの長穴２２の左端まで配置されているが、図５Ｂでは一番右にあり、折り曲げたタブ２３を押している。垂直調整ユニット５０は、図６Ａ及び図６Ｂから判るように、側部３の変位運動によって受け部２５内でも変位する。それにもかかわらず、垂直調整ユニット５０のネジ付き箇所は、Ｕ字形の受け部２５と係合した状態を維持し、垂直調整は、取付けプレート２に対する側部３の位置とは無関係に実行され得る。
【００２１】
垂直調整ユニット５０と深さ調整ユニット４０を示す２つの断面図が、図７Ａ及び図７Ｂに示される。垂直調整ユニット５０と深さ調整ユニット４０の両方は、ボルト形の箇所を構成し、側部３の開口部内に配置されて、回転可能であるが軸方向に変位不可能である。これは、例えば、垂直調整ユニット５０及び深さ調整ユニット４０を押し込むことによる、側部３の対応する変形によって実行され得る。
【００２２】
示された実施形態において、深さ調整ユニット４０はウォームによって形成されている。或いは、偏心器又は他の調整機構が用いられ得る。更に、ボルト４は取付けプレート２上に変位可能に保持されて、キャッチ要素６は側部３に固定される。勿論、側部３上にボルトを配備し、キャッチ要素６を取付けプレート２上に変位可能に取り付けることも可能である。
【符号の説明】
【００２３】
１    ヒンジ
２    取付けプレート
３    側部
４    ボルト
５    端部
６    キャッチ要素
７    フック要素
８    受け部
９    ウエブ
１０  開口部
２０  アーム
２１  開口部
２２  長穴
２３  タブ
２４  突起
２５  受け部
３０  底
３１  脚部
３２  開口部
４０  深さ調整ユニット
４１  ウォーム
４２  工具ヘッド
５０  垂直調整ユニット
５１  ピン
【図１Ａ】
2020522630.tif 000003
【図１Ｂ】
2020522630.tif 000004
【図１Ｃ】
2020522630.tif 000005
【図２Ａ】
2020522630.tif 000006
【図２Ｂ】
2020522630.tif 000007
【図２Ｃ】
2020522630.tif 000008
【図３Ａ】
2020522630.tif 000009
【図３Ｂ】
2020522630.tif 000010
【図４Ａ】
2020522630.tif 000011
【図４Ｂ】
2020522630.tif 000012
【図５Ａ】
2020522630.tif 000013
【図５Ｂ】
2020522630.tif 000014
【図６Ａ】
2020522630.tif 000015
【図６Ｂ】
2020522630.tif 000016
【図７Ａ】
2020522630.tif 000017
【図７Ｂ】
2020522630.tif 000018
【国際調査報告】
2020522630.tif 000019
2020522630.tif 000020
2020522630.tif 000021
2020522630.tif 000022